(57)【要約】【課題】本発明は排水パイプに汚物が詰まった場合、水をためて詰まったものを折りたたんだタオルを排水口に押入。引く。押入。引きだすだけで、配水管に汚物を押し流すためのものである。使い捨ても可能な本発明を提供する。【解決手段】タオルを点線に沿って折りたたむ（１）タオルを点線に沿って折りたたむ（２）タオルを点線に沿って折りたたむ（３）（３′）便器の汚水をかいだし、バケツ等で便器の半分位まで水を入れる。折りたたんだタオルを手につかみ、排水口にゆっくり押入する。ゆっくり押入したら引く。又入れる。最後に引き出す。【選択図】図５
2010013917.tif 000002
【特許請求の範囲】
【請求項１】
詰まった排水口に水をため、タオル（６）を点線に沿って折りたたむ（１）タオルを点線に沿って折りたたむ（２）（２′）タオルを点線に沿って折りたたむ（３）（３′）タオルを点線に沿って折りたたむ（４）タオルを点線に沿って折りたたむ（５）（５′）
【請求項２】
折りたたんだタオルを手につかみ排水口にゆっくり押入する。
【請求項３】
ゆっくり押入したら引く。又入れる。最後に引き出す。これによりタオルと水の表面張力の働きで、詰まったものを押し流すものである。
【発明の詳細な説明】
【発明の詳細な説明】
【技術分野】
【０００１】  この発明は、和洋式トイレ、流し台、洗面台、浴室等のパイプが詰まった場合、水をためてから折りたたんだタオルを押入。引く。入れる。引き出すと、タオルと水の表面張力の働きで、詰まったものが押し流がされるものである。
【背景技術】
【０００２】  （イ）吸引カップ（ラバーカップ）トイレに使用した場合
バケツなどで便器の中に半分位まで水をためる。便器の穴に空気がもれないようカップを垂直にセットし、カップ内の空気をすべて押し出すようにゆっくり押す。引き上げるときは勢いよく引く。一度で通水しない場合は、押して、引いてを繰り返す。カップを引くと水が吸い寄せられ詰まったものが排水口に戻ってくる場合がある。戻ってきたら手を突っ込んで便器から取り出す。
（ロ）真空式パイプクリーナー  トイレに使用した場合
バケツなどで便器の中に半分位まで水をためる。便器の穴に空気がもれないようカップを垂直にセットし、ハンドルを押すときはゆっくり、ハンドルを引くときは勢いよく引く。ポンプを使うことでより強力な吸引力がかかり、詰まったものが排水口に戻ってくる場合がある。戻ってきたら手を突っ込んで便器から取り出す。
【発明が解決しようとする課題】
【０００３】  吸引カップ（ラバーカップ）や真空式パイプクリーナーをトイレの排水口に使用するとき、次のような問題点があった。
トイレの排水口は、台所の流し台、洗面台、浴室の排水口のようにパイプが垂直に配管されていないので、空気がもれないよう垂直にセットすることは困難である。その為繰り返し作業を行っても排水口に詰まったものが戻ってこない場合がある。又戻って来てもビニール手袋をした手を突っ込んで汚物を回収する必要があった。（もう一度流すとまた詰まることがある為）又値段がはるので使い終わったらきれいに洗って、トイレ内の美感をそこねないよう別売のラバーカップカバーに入れて保管を用する。
本発明は、以上の問題点を解決し、詰まった汚物を押し流すものである。
【課題を解決するための手段】
【０００４】（トイレに使用した場合）
タオルを点線にそって折りたたむ（１）タオルを点線にそって折りたたむ（２）タオルを点線にそって折りたたむ（３）（３′）便器の汚水をかいだし、バケツ等で便器の半分位まで水を入れる。折りたたんだタオルを手につかみ、排水口にゆっくり押入する。ゆっくり押入したら引く。又入れる。最後に引き出す。
本発明は、以上の構成によりパイプの詰まりを押し流すものである。
【発明を実施するための最良の形態】
【０００５】  以下、本発明の実施の形態を説明する。
（イ）タオルを点線に沿って折りたたむ（１）タオルを点線に沿って折りたたむ（２）タオルを点線に沿って折りたたむ（３）（３′）
（ロ）手にゴム手袋をはめる。
（ハ）便器の汚水をかいだし、バケツ等で便器の半分位まで水を入れる。
（ニ）折りたたんだタオルを手につかみ、排水口にゆっくり押入する。
（ホ）ゆっくり押入したら引く。又入れる。（ツ、ツツという音をたてる。）
（ニ）最後に引き出す。（ためてあった水が一気にズドンという音をたてて流れ出す。）
本発明は以上の構成からなるので本発明を使用するときは、手にゴム手袋をはめ、便器の汚水をかいだし、バケツ等で便器の半分位まで水をためて作業する。又台所の流し台、洗面台、浴室等のパイプでは、バスケットやトラップの椀など、排水口の部品をすべてはずしてから水をためて作業する。その場合のタオルの折り方は以下の通りである。
浴室の太いパイプ  タオルを点線に沿って折りたたむ（１）タオルを点線に沿って折りたたむ（２）（２′）タオルを点線に沿って折りたたむ（３）（３′）
流し台、洗面台等の細いパイプ  タオルを点線に沿って折りたたむ（１）タオルを点線に沿って折りたたむ（４）タオルを点線に沿って折りたたむ（５）（５′）
【発明の効果】
【０００６】  詰まった排水口に水をため折りたたんだタオルを排水口に押入。引く。押入引き出すだけで詰まった汚物が押し流されるので、汚物を手で回収する必要がない。又トイレのパイプに使用した場合は使い捨ても可能である。
【図面の簡単な説明】
【図１】  本発明のトイレのパイプ用タオルの作り方
【図２】  本発明のトイレのパイプ用タオルの作り方
【図３】  本発明のトイレのパイプ用タオルの作り方
【図４】  本発明のトイレのパイプ用斜視図
【図５】  本発明のトイレのパイプへの使用状態
【図６】  本発明の太いパイプ用タオルの作り方
【図７】  本発明の太いパイプ用タオルの作り方
【図８】  本発明の太いパイプ用タオルの作り方
【図９】  本発明の太いパイプ用斜視図
【図１０】  本発明の細いパイプ用タオルの作り方
【図１１】  本発明の細いパイプ用タオルの作り方
【図１２】  本発明の細いパイプ用タオルの作り方
【図１３】  本発明の細いパイプ用斜視図
【図１４】  本発明の流し台のパイプへの使用状態
【図１５】  本発明の洗面台のパイプへの使用状態
【図１６】  本発明の浴室のパイプへの使用状態
【符号の説明】
（１）折りたたみ線、（２）折りたたみ線  （２′）折りたたみ線、（３）折りたたみ線、（３′）折りたたみ線、（４）折りたたみ線、（５）折りたたみ線、（５′）折りたたみ線  （６）タオル
【図１】
2010013917.tif 000003
【図２】
2010013917.tif 000004
【図３】
2010013917.tif 000005
【図４】
2010013917.tif 000006
【図５】
2010013917.tif 000007
【図６】
2010013917.tif 000008
【図７】
2010013917.tif 000009
【図８】
2010013917.tif 000010
【図９】
2010013917.tif 000011
【図１０】
2010013917.tif 000012
【図１１】
2010013917.tif 000013
【図１２】
2010013917.tif 000014
【図１３】
2010013917.tif 000015
【図１４】
2010013917.tif 000016
【図１５】
2010013917.tif 000017
【図１６】
2010013917.tif 000018